(57)【要約】【課題】屋根等の設置対象面に太陽電池モジュールを容易に取り付けることができると共に、太陽電池モジュールの設置可能な面積を低下させない太陽電池モジュールの取付け構造、及び該取付け構造に使用される太陽電池モジュールの取付け具を提供する。【解決手段】太陽電池モジュールの取付け具１を、平板状で枠体の底面２２に当接させる枠体当接部１０と、枠体当接部１０から下方に延出しており、桟部材３０ａの外側面に当接させる平板状の第一桟当接部１１と、第一桟当接部１１から枠体当接部１０と反対方向に延出しており、溝部３１ａに挿入させる挿入部１２と、挿入部１２から下方に延出しており、桟部材３０ａの外側面または内側面に当接させる平板状の第二桟当接部１３ａと、を具備する構成とする。【選択図】図２
2015224464.tif 000002
【特許請求の範囲】
【請求項１】
太陽電池パネル及び該太陽電池パネルを保持する枠体を有する太陽電池モジュールが、設置対象面に固定された桟部材に、取付け具によって取付けられている太陽電池モジュールの取付け構造であって、
前記桟部材は、少なくとも一つの側面に軸方向に延びる溝部を有しており、
前記桟部材の上面に、前記枠体が載置されており、
前記取付け具は、
前記枠体の底面に当接している状態で、第一締結部材によって前記底面に締結されている枠体当接部と、
該枠体当接部から下方に延出して前記桟部材の外側面に当接している第一桟当接部と、
該第一桟当接部から前記枠体当接部と反対方向に延出して、前記溝部に挿入されている挿入部と、
該挿入部から下方に延出して前記桟部材の外側面または内側面に当接している状態で、第二締結部材によって前記桟部材に締結されている第二桟当接部と、を具備する
ことを特徴とする太陽電池モジュールの取付け構造。
【請求項２】
前記桟部材は、前記溝部を有する側面を同一方向に向けている状態で、複数が前記設置対象面に固定されており、
前記取付け具は、一つの前記太陽電池モジュールに対して、前記桟部材の軸方向と交差する方向に複数が設けられており、
複数の前記取付け具の前記挿入部は、それぞれ異なる前記桟部材の前記溝部に同一方向から挿入されている
ことを特徴とする請求項１に記載の太陽電池モジュールの取付け構造。
【請求項３】
請求項１または請求項２に記載の太陽電池モジュールの取付け構造に使用される取付け具であって、
平板状で前記枠体の底面に当接させる前記枠体当接部と、
該枠体当接部から下方に延出しており、前記桟部材の外側面に当接させる平板状の前記第一桟当接部と、
該第一桟当接部から前記枠体当接部と反対方向に延出しており、前記溝部に挿入させる前記挿入部と、
該挿入部から下方に延出しており、前記桟部材の外側面または内側面に当接させる平板状の第二桟当接部と、
を具備することを特徴とする太陽電池モジュールの取付け具。
【発明の詳細な説明】
【技術分野】
【０００１】
本発明は、太陽電池モジュールの取付け構造及び該取付け構造に使用する太陽電池モジュールの取付け具に関するものである。
【背景技術】
【０００２】
太陽電池モジュールが屋根等の設置対象面に取付けられている取付け構造として、従来、設置対象面に固定された桟部材に、隣接する二つの太陽電池モジュールが固定部材によって取り付けられている構造が提案されている（特許文献１及び特許文献２参照）。
【０００３】
特許文献１の取付け構造は、スリットが上面となるように設置対象面に固定されたリップ溝形鋼を桟部材とし、桟部材の軸方向と直交する方向に隣接して配置されている太陽電池モジュールが、その枠体間に配置されている固定部材により桟部材に取り付けられているものである。ここで、太陽電池モジュールの枠体は、底面の延長面上に側面から延出している係合片を有し、隣接する二つの太陽電池モジュールが、それぞれの係合片がスリットを挟んで対向するように桟部材の上に配置されている。また、固定部材は、隣接する二つの太陽電池モジュールの枠体の係合片の双方に上方から係合する固定金具、リップ溝形鋼の内部に配置されてリップ片に下方から当接させるナット金具を備えている。このような構成により、固定金具に挿通したボルトをリップ溝形鋼の内部に配置されたナット金具と螺着させて、固定金具とナット金具とを締結することにより、隣接する太陽電池モジュールが固定部材を介して桟部材に固定される。
【０００４】
一方、特許文献２の取付け構造は、スリットが上面となるように設置対象面に固定されたリップ溝形鋼を桟部材とし、桟部材の軸方向に沿って隣接して配置されている太陽電池モジュールが、その枠体間に配置されている固定部材により桟部材に取り付けられているものである。この固定部材は、縦断面矩形のスペーサ部、スペーサ部の上面から両側に延出している一対の当接片を有する固定金具と、リップ溝形鋼の内部に配置されてリップ片に下方から当接させるナット金具を備えている。このような構成により、一対の当接片を、それぞれ隣接する太陽電池モジュールの枠体の上面に上方から当接させ、固定金具に挿通したボルトを桟部材の内部に配置されたナット金具と螺着させて、固定金具とナット金具とを締結することにより、隣接する太陽電池モジュールが固定部材を介して桟部材に固定される。
【０００５】
このように、二つの太陽電池モジュールの間に配置される固定部材で太陽電池モジュールを桟部材に取付ける場合は、太陽電池モジュール間に固定部材の幅に相当する隙間が不可避的に生じるため、太陽電池モジュールの設置できる面積を低下させていた。また、固定部材を隣接する二つの太陽電池モジュールのそれぞれに当接させた状態とした上で、桟部材に固定する必要があるため、その作業が煩雑で時間を要するものであった。加えて、上記の固定部材は何れも枠体の一部に上方から当接させる部分を有することから、太陽電池モジュールの上方から取付けることが多く、この作業を建築物の屋根等の高所で行う場合は、作業者に対して高度の注意を強いるものであった。
【先行技術文献】
【特許文献】
【０００６】
【特許文献１】特開２０００−２６１０１７号公報
【特許文献２】特開２０１３−８７５７９号公報
【発明の概要】
【発明が解決しようとする課題】
【０００７】
そこで、本発明は、上記の実情に鑑み、屋根等の設置対象面に太陽電池モジュールを容易に取り付けることができると共に、太陽電池モジュールの設置可能な面積を低下させない太陽電池モジュールの取付け構造、及び該取取付け構造に使用される太陽電池モジュールの取付け具の提供を、課題とするものである。
【課題を解決するための手段】
【０００８】
上記の課題を解決するため、本発明にかかる太陽電池モジュールの取付け構造は、「太陽電池パネル及び該太陽電池パネルを保持する枠体を有する太陽電池モジュールが、設置対象面に固定された桟部材に、取付け具によって取付けられている太陽電池モジュールの取付け構造であって、前記桟部材は、少なくとも一つの側面に軸方向に延びる溝部を有しており、前記桟部材の上面に、前記枠体が載置されており、前記取付け具は、前記枠体の底面に当接している状態で、第一締結部材によって前記底面に締結されている枠体当接部と、該枠体当接部から下方に延出して前記桟部材の外側面に当接している第一桟当接部と、該第一桟当接部から前記枠体当接部と反対方向に延出して、前記溝部に挿入されている挿入部と、該挿入部から下方に延出して前記桟部材の外側面または内側面に当接している状態で、第二締結部材によって前記桟部材に締結されている第二桟当接部と、を具備する」ものである。
【０００９】
「少なくとも一つの側面に軸方向に延びる溝部を有して」いる桟部材としては、一つの側面のみが溝部を有するリップ溝形鋼や、一対の側面の双方に溝を有するリップＨ形鋼を例示することができる。
【００１０】
「第二桟当接部」が「挿入部から下方に延出して前記桟部材の外側面または内側面に当接して」いる態様としては、第二桟当接部が挿入部と第一桟当接部との接続部から第一桟当接部を延長するように下方に延出しており、桟部材の外側面と当接している態様、第二桟当接部が挿入部の延出した先から下方に延出しており、桟部材の内側面と当接している態様を例示することができる。
【００１１】
「第一締結部材」及び「第二締結部材」は、それぞれボルト、ネジ、釘を例示することができる。「枠体当接部」が「前記枠体の底面に当接している状態で、第一締結部材によって前記底面に締結されている」構成としては、枠体の底面及び枠体当接部のそれぞれに設けられた貫通孔が連通しており、これらの貫通孔に挿通されたボルトがナットに留め付けられている構成、枠体当接部に設けられた貫通孔に挿通されたボルトが枠体の底面に設けられたネジ溝に留め付けられている構成、ネジまたは釘が枠体当接部を貫通して枠体の底面に留め付けられる構成、を例示することができる。また、「第二締結部材」が「前記第二桟当接部と前記桟部材を締結している」構成も、同様とすることができる。
【００１２】
本構成の太陽電池モジュールの取付け構造は、例えば、以下のように構築することができる。まず始めに、枠体当接部を枠体の底面に当接させて、これらを第一締結部材により締結することにより、取付け具を太陽電池モジュールに取り付ける。次に、溝部を有する面が側面となるように配置された桟部材の上面に、その側面側に取付け具が位置し、且つ、取付け具の挿入部が桟部材の溝部に向かって延びるように太陽電池モジュールを載置する。そして、太陽電池モジュールを、取付け具の挿入部が延出している方向にスライドさせて、桟部材の溝部に挿入部を挿入すると共に、第一桟当接部及び第二桟当接部を桟部材の側面に当接させる。その後、第二締結部材により第二桟当接部と桟部材の側面とを締結する。或いは、次の方法によっても取付け構造を構築することができる。まず、溝部を有する面が側面となるように配置された桟部材の上面に、太陽電池モジュールを載置する。次に、取付け具の挿入部を桟部材の溝部に挿入しつつ、枠体当接部を枠体の底面に当接させると共に、第一桟当接部及び第二桟当接部をそれぞれ桟部材の側面に当接させる。そして、この状態で第一締結部材により枠体の底面と枠体当接部とを締結し、第二締結部材により第二桟当接部と桟部材の側面とを締結する。
【００１３】
本構成の太陽電池モジュールの取付け構造に使用される取付け具は、枠体の底面と桟部材の側面に締結されることにより、太陽電池モジュールを桟部材に取付けるものである。従って、隣接する太陽電池モジュールの枠体間に配置される固定部材を使用する従来の取付け構造とは異なり、隣接する太陽電池モジュール間の隙間を低減して桟部材の上に載置することができるため、太陽電池モジュールの設置可能な面積を低下させることが無い。また、従来の取付け構造とは異なり、取付け具を隣接する二つの太陽電池モジュールのそれぞれに当接させた状態とした上で桟部材に固定するような煩雑な作業を必要としない。加えて、枠体の底面に取付け具を取り付ける構成であることにより、太陽電池モジュールの下方から取付け作業を行うことも可能である。
【００１４】
本構成の太陽電池モジュールの取付け構造は、上記構成に加えて、「前記桟部材は、前記溝を有する側面を同一方向に向けている状態で、複数が前記設置対象面に固定されており、前記取付け具は、一つの前記太陽電池モジュールに対して、前記桟部材の軸方向と交差する方向に複数が設けられており、複数の前記取付け具の前記挿入部は、それぞれ異なる前記桟部材の前記溝部に同一方向から挿入されている」ものとすることができる。
【００１５】
本構成の太陽電池モジュールの取付け構造は、一つの太陽電池モジュールを、複数の桟部材に支持させる構造であるが、簡易な作業により構築することができる。具体的には、まず、挿入部の延びる方向を同一方向に向けた状態で、複数の取付け具をそれぞれの枠体当接部を第一締結部材によって枠体の底面と締結することにより、枠体に取り付ける。このとき、桟部材の軸方向に交差させる枠体に取り付けられる複数の取付け具は、その間隔を桟部材の間隔と一致させる。次に、複数の取付け具が、それぞれ桟部材に対して溝部を有する側面側に位置し、且つ、取付け具の挿入部が桟部材の溝部に向かって延びるように、太陽電池モジュールを複数の桟部材の上面に載置する。そして、複数の取付け具の挿入部がそれぞれ枠体の溝部に同一方向から挿入されると共に、第一桟当接部及び第二桟当接部がそれぞれ桟部材の側面と当接するまで、太陽電池モジュールを挿入部が延び出している方向へスライドさせる。その後、第二締結部材により第二桟当接部と桟部材の側面を締結する。これにより、複数の桟部材の溝部に、複数の取付け具の挿入部を同時に挿入することにより、簡易な作業で一つの太陽電池モジュールを複数の桟部材に支持させることができる。
【００１６】
次に、本発明にかかる太陽電池モジュールの取付け具は、「平板状で前記枠体の底面に当接させる前記枠体当接部と、該枠体当接部から下方に延出しており、前記桟部材の外側面に当接させる平板状の前記第一桟当接部と、該第一桟当接部から前記枠体当接部と反対方向に延出しており、前記溝部に挿入させる前記挿入部と、該挿入部から下方に延出しており、前記桟部材の外側面または内側面に当接させる平板状の第二桟当接部と、を具備する」ものである。
【００１７】
これは、上記の太陽電池モジュールの取付け構造に使用される取付け具である。本構成の取付け具は、非常に簡易な構成により太陽電池モジュールを桟部材に取付けることができる。ここで、当業者が通常想到し得る取付け具は、挿入部を備えることなく、枠体当接部から桟部材の外側面に当接させる部分のみが延出している構成であろう。これに対して本構成の取付け具は、挿入部を備えているため、挿入部を桟部材の溝部に挿入することにより、姿勢を安定させた状態で取付け具を枠体及び桟部材と締結することができる。従って、本構成の取付け具を使用することにより、太陽電池モジュールを設置対象面に取り付ける作業を、非常に容易に行うことができる。
【発明の効果】
【００１８】
以上のように、本発明の効果として、屋根等の設置対象面に太陽電池モジュールを容易に取り付けることができると共に、太陽電池モジュールの設置可能な面積を低下させない太陽電池モジュールの取付け構造、及び該取付け構造に使用される太陽電池モジュールの取付け具を提供することができる。
【図面の簡単な説明】
【００１９】
【図１】（ａ）本発明の第一実施形態である太陽電池モジュールの取付け具の斜視図、及び（ｂ）図１（ａ）の取付け具を使用した取付け構造に使用される桟部材の斜視図である。
【図２】図１（ａ）取付け具を使用した太陽電池モジュールの取付け構造の断面図である。
【図３】図１（ａ）の取付け具の太陽電池モジュールへの取付けを説明する図である。
【図４】桟部材への太陽電池モジュールの取り付けを説明する図である。
【図５】本発明の第二実施形態である太陽電池モジュールの取付け具、及び太陽電池モジュールの取付け構造の断面図である。
【図６】（ａ），（ｂ）本発明と対比される他の太陽電池モジュールの取付け具、及び太陽電池モジュールの取付け構造の断面図である。
【発明を実施するための形態】
【００２０】
以下、本発明の第一実施形態である太陽電池モジュールの取付け具１（以下、単に「取付け具１」と称する）、及び取付け具１を使用した太陽電池モジュールの取付け構造（以下、単に「取付け構造」と称することがある）について、図１乃至図４を用いて説明する。
【００２１】
第一実施形態の取付け具１は、平板状で枠体の底面２２に当接させる枠体当接部１０と、枠体当接部１０から下方に延出しており、桟部材３０ａの外側面３２に当接させる平板状の第一桟当接部１１と、第一桟当接部１１から枠体当接部１０と反対方向に延出しており、桟部材３０ａの溝部３１ａに挿入させる挿入部１２と、挿入部１２と第一桟当接部１１の接続部から下方に延出しており、桟部材３０ａの外側面３２に当接させる平板状の第二桟当接部１３ａと、を具備するものである。
【００２２】
より詳細に説明すると、図１（ａ）に示すように、第一桟当接部１１は枠体当接部１０の一方の端部から延出しており、その方向は枠体当接部１０に対して直角である。また、挿入部１２は平板状であり、第一桟当接部１１の下端から直角に延出している。加えて、枠体当接部１０及び第二桟当接部１３ａには、貫通する孔部１４ａ及び１４ｂがそれぞれ設けられている。
【００２３】
また、太陽電池モジュール２０を取り付ける桟部材３０ａは、図１（ｂ）及び図２に示すように、軸方向に対して直交する断面が中空矩形である長棒状の部材である。桟部材３０ａは側面において、高さ方向の略中間部分に、桟部材３０ａの軸方向に延びる溝部３１ａが形成されている。加えて、桟部材３０ａの底面から両側に一対の固定片３５が延出しており、一対の固定片３５にはそれぞれ貫通する孔部３６が設けられている。
【００２４】
取付け具１の第一桟当接部１１の長さ（枠体当接部１０との接続部から挿入部１２との接続部までの距離）は、桟部材３０ａの上面から溝部３１ａまでの外側面３２の長さと等しく、挿入部１２の長さ（第一桟当接部１１との接続部から延出した先までの距離）は、溝部３１ａの幅方向の長さ（溝部３１ａの深さ）以下に設定されている。
【００２５】
次に、取付け具１を使用した太陽電池モジュールの取付け構造を構築する手順の一例について説明する。以下では、設置対象面４０が一方向に傾斜している場合を例示する。
【００２６】
始めに、桟部材３０ａの複数を設置対象面４０に固定する。その際、桟部材３０ａは、それぞれ軸方向が設置対象面４０の傾斜方向に対して直角に延び、溝部３１ａを有する側面を傾斜の上方向に向けている状態で等間隔に配置する。それぞれの桟部材３０ａは、一対の固定片３５の孔部３６及び設置対象面４０を貫通する孔部４１に挿通したボルト１８にナット１９を留め付けることにより、設置対象面４０に固定される。
【００２７】
次に、図３に示すように、太陽電池モジュール２０の枠体を構成する二対の辺２１ａ，２１ｂの内の一対の辺２１ａに、それぞれ複数の取付け具１を取り付ける。一対の辺２１ａには、それぞれ複数の貫通孔２３が設けられており、同一の辺２１ａにおける貫通孔２３の間隔は桟部材３０ａの間隔と等しい。この貫通孔２３に孔部１４ａが一致するように、取付け具１の枠体当接部１０を枠体の底面２２に当接させ、貫通孔２３及び孔部１４ａに挿通したボルト１５にナット１６を留め付ける。これにより、取付け具１が太陽電池モジュール２０に固定される。ここでは、太陽電池モジュール２０が長方形であり、枠体の一対の長辺にそれぞれ二つの取付け具１を取り付ける場合を例示する。また、ボルト１５が本発明の第一締結部材に相当する。
【００２８】
このように取付け具１が取付けられた太陽電池モジュール２０は、図４に示すように、桟部材３０ａに取付けられる。図４は、設置対象面側から見た図であるが、桟部材３０ａは設置対象面４０に固定されている。図４において紙面上下方向が傾斜方向に相当し、紙面下が低い。まず、図４左上に示すように、一対の辺２１ａにおいてそれぞれ対向している取付け具１が、同一の桟部材３０ａに対して、挿入部１２をそれぞれ溝部３１ａに向けており、且つ、同一の辺２１ａに固定された取付け具１がそれぞれ異なる桟部材３０ａに対して、挿入部１２をそれぞれ溝部３１ａに向けている状態で、太陽電池モジュール２０を桟部材３０ａの上面に載置する。そして、取付け具１の挿入部１２が延び出している方向（図中矢印）へ太陽電池モジュール２０をスライドさせる。
【００２９】
これにより、一対の辺２１ａで対向している取付け具１の挿入部１２が同一の桟部材３０ａの溝部３１ａに挿入されると共に、同一の辺２１ａに固定された複数の取付け具１の挿入部１２が、それぞれ異なる桟部材３０ａの溝部３１ａに挿入される。つまり、一つの太陽電池モジュール２０に固定された全ての取付け具１の挿入部１２が、桟部材３０ａの溝部３１ａに同時に挿入される。これと同時に、各取付け具１の第一桟当接部１１が、桟部材３０ａの外側面３２において溝部３１ａより上の部分に当接すると共に、第二桟当接部１３ａが桟部材３０ａの外側面３２において溝部３１ａより下の部分に当接する。この状態で、第二桟当接部１３ａに設けられた孔部１４ｂにドリルネジ１７を挿通し、桟部材３０ａの外側面３２にねじ込む。ここで、ドリルネジ１７が本発明の第二締結部材に相当する。
【００３０】
本実施形態では、設置対象面４０が傾斜しており、桟部材３０ａは溝部３１ａを傾斜における上方向に向けていると共に、取付け具１は挿入部１２を傾斜における下方向に向けている。従って、太陽電池モジュール２０を重力に従って下方向にスライドさせることにより、容易に取付け具１の挿入部１２を桟部材３０ａの溝部３１ａに挿入することができる。また、重力に従って挿入部１２が溝部３１ａに挿入されていることにより、桟部材３０ａに対する取付け具１の姿勢が安定する。加えて、第一桟当接部１１の長さは、桟部材３０ａの外側面３２において溝部３１ａより上の部分の長さ（桟部材３０ａの上面から溝部３１ａまでの外側面３２の長さ）と等しいため、挿入部１２の上面は溝部３１ａ内の上面に当接する。これによっても、挿入部１２のがたつきが抑制され、取付け具１の姿勢が安定する。従って、挿入部１２を溝部３１ａに挿入させることにより、取付け具１の姿勢を安定させた状態で、取付け具１を桟部材３０ａに固定することができる。
【００３１】
以上のように、取付け具１を使用した太陽電池モジュールの取付け構造を構築することができる。すなわち、本実施形態の太陽電池モジュールの取付け構造は、図２に示すように、桟部材３０ａは、少なくとも一つの側面に軸方向に延びる溝部３１ａを有しており、桟部材３０ａの上面に枠体が載置されており、取付け具１は、枠体の底面２２に当接している状態で、ボルト１５によって底面２２に締結されている枠体当接部１０と、枠体当接部１０から下方に延出して桟部材３０ａの外側面３２に当接している第一桟当接部１１と、第一桟当接部１１から枠体当接部１０と反対方向に延出して、溝部３１ａに挿入されている挿入部１２と、挿入部１２と第一桟当接部１１との接続部から下方に延出して桟部材３０ａの外側面３２に当接している状態で、ドリルネジ１７によって桟部材３０ａに締結されている第二桟当接部１３ａとを具備するものである。
【００３２】
また、本実施形態の取付け構造では、図４に示すように、桟部材３０ａは、溝部３１ａを有する側面を同一方向に向けている状態で、複数が設置対象面４０に固定されており、取付け具１は、一つの太陽電池モジュール２０に対して、桟部材３０ａの軸方向と交差する方向に複数設けられており、軸方向と交差する方向に設けられた複数の取付け具１の挿入部１２は、それぞれ異なる桟部材３０ａの溝部３１ａに同一方向から挿入されている。
【００３３】
以上のように、第一実施形態の取付け具１及びこれを使用した太陽電池モジュールの取付け構造では、枠体の底面２２と桟部材３０ａの外側面３２に取付け具１を取り付ける構成であるため、隣接する太陽電池モジュール２０の間の隙間を最小限にすることができる（図４参照）。従って、太陽電池モジュール２０の設置可能な面積を低下させることが無い。また、予め取付け具１を取り付けた太陽電池モジュール２０を桟部材３０ａの上面に載置して、挿入部１２が延び出している方向へスライドさせるのみで、全ての取付け具１の挿入部１２を桟部材３０ａの溝部３１ａに挿入することができるため、簡易な作業により太陽電池モジュール２０の取付け構造を構築することができる。また、取付け具１は、枠体を上方から押圧するような部分を有さないため、取付け具１を使用して取付け構造を構築する作業を、太陽電池モジュール２０の下方から行うことも可能である。
【００３４】
次に、第二実施形態の太陽電池モジュールの取付け具２、及び取付け具２を使用した太陽電池モジュールの取付け構造について、図５を用いて説明する。ここでは、第一実施形態の取付け具１、及び取付け具１を使用した太陽電池モジュールの取付け構造と同様の構成については同一の符号を付し、詳細な説明は省略する。第二実施形態の取付け具２、及び取付け具２を使用した太陽電池モジュールの取付け構造は、第二桟当接部１３ｂ及び桟部材３０ｂの形状において第一実施形態と相違している。
【００３５】
具体的には、桟部材３０ｂはリップ溝形鋼であり、溝部３１ｂを有している側面を設置対象面４０の傾斜の上方向に向けている状態で、設置対象面４０に固定されている。
【００３６】
また、取付け具２では、第二桟当接部１３ｂが、挿入部１２が延びた先の端部から下方に延出しており、桟部材３０ｂの内側面３３に当接させるものである。
【００３７】
より詳細には、第一桟当接部１１は、枠体当接部１０の一方の端部から下方へ直角に延出しており、その延出長さは桟部材３０ｂのリップ３７の幅と等しい。また、挿入部１２は平板状であり、第一桟当接部１１の下端から直角に、桟部材３０ｂの溝部３１ｂの深さと等しい長さで延出している。加えて、枠体当接部１０及び第二桟当接部１３ｂには、貫通した孔部１４ａ及び１４ｂがそれぞれ設けられている。
【００３８】
取付け具２を使用した太陽電池モジュールの取付け構造も、取付け具１を使用した太陽電池モジュールの取付け構造と同様に構築することができる。すなわち、枠体の底面２２に枠体当接部１０を締結することにより取付け具２が取り付けられた太陽電池モジュール２０を、桟部材３０ｂの上面に載置し、太陽電池モジュール２０をスライドさせることにより、取付け具２の挿入部１２を桟部材３０ｂの溝部３１ｂに挿入する。これにより、第一桟当接部１１が桟部材３０ｂの側面であるリップ３７の外側面３２に当接し、第二桟当接部１３ｂが桟部材３０ｂの内側面３３に当接するため、第二桟当接部１３ｂの孔部１４ｂにドリルネジ１７を挿通し内側面３３に留め付ける。
【００３９】
第二実施形態の取付け具２及び取付け具２を使用した太陽電池モジュールの取付け構造も、第一実施形態の取付け具１及び取付け具１を使用した太陽電池モジュールの取付け構造と同様の作用効果を奏する。特に、本実施形態では、取付け具２を使用することにより、汎用のリップ溝形鋼を桟部材３０ｂとして使用して、取付け構造を簡易に構築することができる。
【００４０】
ここで、当業者が通常想到し得る取付け具は、挿入部を備えることなく、枠体当接部から桟部材の外側面に当接する部分のみが延出している構成であると考える。例えば、図６（ａ）に示すように、平板状の枠体当接部１１０の一端から下方へ直角に平板状の桟当接部１１１が延出している逆Ｌ字状の取付け具１０１である。この取付け具１０１は、枠体当接部１１０を枠体の底面２２に締結し、桟当接部１１１を桟部材１３０の外側面１３２に締結することにより、太陽電池モジュール２０を桟部材１３０に取付ける。
【００４１】
或いは、図６（ｂ）に示すように、桟部材としてリップを有する溝部１４１が側面に形成された桟部材１４０を使用する取付け具１０２であり、枠体当接部１２１と桟当接部１２２とが逆Ｌ字状を形成している固定部材１２０と、桟部材１４０の溝部１４１に挿入される別体のスライド部材１２５とを有する取付け具１０２を例示することができる。取付け具１０２は、枠体当接部１２１を枠体の底面２２に締結し、桟当接部１２２を桟部材１４０の外側面３２に締結すると共に、溝部３１ｄの内部に配置したスライド部材１２５と桟当接部１２２とをボルト１２６で締結することにより、太陽電池モジュール２０を桟部材１４０に取付ける。
【００４２】
しかしながら、取付け具１０１，１０２は挿入部を備えないために、取付けの際に取付け具１０１，１０２の姿勢が不安定であり、取付け作業が困難であるになる。また、図６（ｂ）に示す例では、取付け具１０２が別体の複数の部材からなるため、部品点数が多くなる。これに対して、第一実施形態及び第二実施形態の取付け具１，２は、挿入部１２を備えているため、挿入部１２を桟部材３０ａ，３０ｂの溝部３１ａ，３１ｂに挿入することにより、姿勢を安定させた状態で取付け具１，２を枠体及び桟部材３０ａ，３０ｂに締結することができ、太陽電池モジュール２０を取り付ける作業を、非常に容易に行うことができる。
【００４３】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４４】
例えば、上記の実施形態では、枠体の一対の辺にそれぞれ二つの取付け具を取付け、二つの桟部材によって一つの太陽電池モジュールを支持する構成を例示したが、一つの辺に二以上の取付け具を取付け、二以上の桟部材によって一つの太陽電池モジュールを支持する構成であっても良い。この場合、暴風等により太陽電池モジュールに大きな力が作用しても、力が分散してそれぞれの取付け具にかかるため、より安定に太陽電池モジュールを支持することができる。
【００４５】
また、上記では、隣接する太陽電池モジュールが間にほとんど空隙を設けることなく桟部材に固定される場合を、図示により例示したが、第二桟当接部を桟部材の側面に締結する位置を調整することにより、太陽電池モジュールの熱膨張を考慮した空隙を隣接する太陽電池モジュール間に設けることができる。
【符号の説明】
【００４６】
１，２  取付け具
１０  枠体当接部
１１  第一桟当接部
１２  挿入部
１３ａ，１３ｂ  第二桟当接部
２０  太陽電池モジュール
２１ａ  一対の辺（枠体）
２１ｂ  一対の辺（枠体）
２２  底面
３０ａ，３０ｂ  桟部材
３１ａ，３１ｂ  溝部
３２  外側面
３３  内側面
４０  設置対象面
【図１】
2015224464.tif 000003
【図２】
2015224464.tif 000004
【図３】
2015224464.tif 000005
【図４】
2015224464.tif 000006
【図５】
2015224464.tif 000007
【図６】
2015224464.tif 000008